(57)【要約】【課題】  幼児が網戸の下部を身体や手で押圧したり接触し、若しくはボールや他の器具などが衝突して当たることによる衝撃を受けたとしても、ネットが外れたり、破けたりしない網戸を提供する。【解決手段】  アルミサッシ製の網戸枠体２の枠内が横桟３で仕切られて、横桟を境としてその上下の領域に位置する複数の小枠４，５，６が形成され、一段目の小枠４内に補強部材９が設置されるとともに他の小枠５，６内に樹脂ネット７が張設されているようにした。【選択図】  図１
2006291538.tif 000002
【特許請求の範囲】
【請求項１】
アルミニウム部材を組み立てた網戸枠体の枠内が横桟で仕切られて、該横桟によって仕切られる上下の領域に位置する複数の小枠が構成され、最下の一段目の小枠内に補強部材が設置されるとともに他の小枠内にネットが張設されていることを特徴とする網戸。
【請求項２】
一段目の小枠内の補強部材が着脱可能であるとともにネットが張設されている請求項１記載の網戸。
【請求項３】
前記補強部材としては板材若しくは金属の多孔板材である請求項１または２に記載の網戸。
【請求項４】
前記補強部材としては透明な樹脂板である請求項１記載の網戸。
【発明の詳細な説明】
【技術分野】
【０００１】
本発明は、アルミニウム部材を組み立てた枠体内に、補強用の補強部材を設置した網戸に関するものである。
【背景技術】
【０００２】
建築物の開口部に設ける従来の網戸としては、アルミニウム製の枠体内にネットが張設されてなる網戸であって、該ネットは、矩形状ネット本体と、これをアルミニウム製の枠体に着脱自在に固定するため該矩形状ネット本体の周縁４辺の中少なくとも対向する２辺を把持する把持枠とにより構成されている網戸が知られている。（特許文献１参照）
【特許文献１】特開平１０−１２１８７２号公報
【発明の開示】
【発明が解決しようとする課題】
【０００３】
しかしながら、前記特許文献１に記載の網戸は、幼稚園、保育園等の特に幼児施設において、幼児の活発な動きにより網戸の下部が身体や手で押圧されたり、ボールなどの器物が衝突してその衝撃によりネットが外れたり、破損したりして、補修する必要が頻繁に発生するため、強度の高い網戸の改善が望まれていた。
【０００４】
従って、本発明が解決しようとする課題は、幼稚園、保育園等の幼児施設において、幼児が網戸の下部を身体や手で押したり、器物などによる衝撃を受けても、ネットが外れたり、破損しない網戸を提供するようにしたことにある。
【課題を解決するための手段】
【０００５】
上記課題を解決するために請求項１に記載の発明は、アルミニウム部材を組み立てた網戸枠体の枠内が横桟で仕切られて、該横桟によって仕切られる上下の領域に位置する複数の小枠が構成され、最下の一段目の小枠内に補強部材が設置されるとともに他の小枠内にネットが張設されていることを特徴とする網戸である。
【０００６】
また、請求項２に記載の発明は、一段目の小枠内の補強部材が着脱可能であるとともにネットが張設されている請求項１記載の網戸である。
【０００７】
また、請求項３に記載の発明は、前記補強部材としては板材若しくは金属の多孔板材である請求項１または２に記載の網戸である。
【０００８】
また、請求項４に記載の発明は、前記補強部材としては透明な樹脂板である請求項１記載の網戸である。
【発明の効果】
【０００９】
本発明の網戸によれば、網戸の少なくとも最下段に仕切られた一段目の小枠内には補強部材が設置されているから、幼稚園、保育園等の幼児施設において、幼児が網戸の下部を身体や手で押圧したり接触し、若しくはボールや他の器具などが衝突して当たることによる衝撃を受けたとしても、従来の強度が少ない樹脂ネットが張設されていた場合のように外れたり破損することがないので、補修の頻度が低減する。
【発明を実施するための最良の形態】
【００１０】
以下、図面に基づいて本発明の実施例を説明する。
【実施例】
【００１１】
図１は、本発明の実施例の正面図、図２は図１のＡ−Ａ線断面図、図３は図１のＡ−Ａ線における分解断面図、図４は図１のＢ−Ｂ線断面図、図５は図１のＢ−Ｂ線における分解断面図、図６は本発明の実施例の要部の斜視図である。
【００１２】
図１〜図６において、網戸１は、４本のアルミニウム部材を組立ててなる網戸枠体２の枠内が上下の２本の横桟３，３で仕切られて、各横桟３を境としてその上下の領域に位置する複数の小枠４，５，６が形成された構成である。
【００１３】
前記網戸枠体２は、左右の縦框２１，２２と、これら左右の縦框２１，２２に両端が固着されて一体化された上下框材２３，２４とからなっている。そして、最下段である一段目の小枠４の枠内には補助枠体１０が取り付けられている。
【００１４】
左右の縦框２１，２２には、互いに向き合うようにして、長手方向に沿って嵌合溝２５を形成する突出片２６が設けられている。同様に、上下框材２３，２４にも、互いに向き合うように、長手方向に沿って嵌合溝２５を形成する突出片２６が設けられている。また、横桟３の幅方向の両側にも長手方向に沿って嵌合溝２５を形成する突出片２６が設けられている。したがって、小枠４，５，６の内側全周には、嵌合溝２５が連続して設けられている。
【００１５】
そして、２段目と３段目の小枠５，６には、樹脂ネット７，７が被せられて、環状に連続する嵌合溝２５にゴム、弾性樹脂などからなる網戸ロ−プ８が挟着されて、小枠５，６に樹脂ネット７，７が張設されている。
【００１６】
以下に、最も下の一段目の小枠４における補強部材９の取り付け構造について説明する。先ず、小枠４の横桟３と下框２４に、補助枠体１０を構成する補助横框材１３，１３を取り付ける。
【００１７】
前記補助横框材１３には、長手方向に沿って突出片２６の嵌合溝１３ａと、補強部材９の設置用溝１３ｂとが長手方向に沿って背中合わせに設けられており、設置用溝１３ｂ同士が互いに向き合うようにして、小枠４を構成している横桟３と下框２４にリベット１５により取り付けて、小枠４内に補助横框材１３，１３を設置する。
【００１８】
補助横框材１３，１３の設置用溝１３ｂ，１３ｂ内に透明なアクリル板、金属の多孔板材等の矩形の補強部材９を挿し入れる。そして、補強部材９と設置用溝１３ｂとの隙間にゴム等の弾性のあるスペーサ１５，１５を嵌入して設置用溝１３ｂ，１３ｂ内に補強部材９の上下端縁部９ａ，９ｂを固定する。
【００１９】
なお、本実施例においては、補助横框材１３の設置用溝１３ｂ内には、挿入されたスペーサ１５が設置用溝１３ｂ内において補強部材９の上下端縁部９ａ，９ｂに係止されることにより固定され、補助横框材１３が固定されたスペーサ１５により抜け止めされる係止部材１３ｃが取り付けてある。
【００２０】
次に、小枠４内の縦框２１，２２に補助枠体１０を構成する補助縦框材１８，１８を取り付ける構造について説明する。
【００２１】
補助縦框材１８は、補強部材９の左右端縁部９ｃ，９ｄを嵌入して係止する縦框材１６と、縦框材１６と係合して補強部材９を補助縦框材１８，１８に固定するための押し縁として機能する縦框材１７との組合せからなっている。
【００２２】
縦框材１６には、突出片２６との係合溝１６ａと、補強部材９の設置用溝片１６ｂとが長手方向に沿って背中合わせに設けられている。また、設置用溝片１６ｂの底部には係合溝１６ｃを構成する突片１６ｄが長手方向に沿って設けられている。この係合溝１６ｃは、縦框材１７の一端に設けた係合片１７ａが係合されて、縦框材１６と縦框材１７とが組み合わされるものである。
【００２３】
前記小枠４内において、上下端縁部９ａ，９ｂが固定された補強部材９の左右端縁部９ｃ，９ｄ側には、縦框材１６，１６が設置用溝片１６ｂ同士を互いに向き合うようにして補強部材９の左右端縁部９ｃ，９ｄを各縦框材１６の設置用溝片１６ｂ内に配置されている。そして、小枠４内の縦框２１，２２の突出片２６，２６に各縦框材１６の係合溝１６ａが係合されて、縦框材１６，１６が縦框２１，２２に固定されている。
【００２４】
この状態で、各縦框材１６の係合溝１６ｃに縦框材１７の一端に設けられた係合片１７ａが係合されて、縦框材１６と縦框材１７とが組み合わされ補助縦框材１８が完成され、補強部材９を固定した状態で小枠４の枠内に補助枠体１０が取り付けられている。前記補助縦框材１８には、縦框材１６の設置用溝片１６ｂに縦框材１７の他端の補助溝片１７ｂが組み合わされて補強部材９の設置用溝１８ａが形成されている。
【００２５】
前記補助縦框材１８の設置用溝１８ａと補強部材９との隙間には、スペーサ１５，１５が配置されて、スペーサ１５が設置用溝１８ａ内において補強部材９の左右端縁部９ｃ，９ｄが固定されて、一段目の小枠６内に補強部材９が取り付けられている。また、縦框材１６の設置用溝１８ａを構成する縦框材１６の設置用溝片１６ｂと縦框材１７の補助溝片１７ｂには、挿入されたスペーサ１５が設置用溝１８ａ内において補強部材９の左右端縁部９ｃ，９ｄに係止されることにより固定され、補助縦框材１８がスペーサ１５により抜け止めされる係止部材１８ｃが取り付けてある。
【００２６】
なお、本発明において、前記小枠４の内部に設ける補強部材９は、透明な樹脂板であれば、室外の景観や採光を妨げることがないし、金属の薄板に小孔を多数開設した金属多孔板を使用すると、補強効果を充分に高めることができる。また、補強部材９をビスによって着脱可能にすると、どの様な補強部材でも使用することができる。また、小枠４の内部にはネットが張設されている状態で補強部材９を着脱可能に設けてもよい。
【００２７】
以上説明したように、本発明の網戸は、幼児や器物等によって衝撃を受ける最下段の一段目の小枠４の枠内に補強部材９が取り付けられているから、特に幼稚園、保育園等の幼児施設において、幼児が網戸の下部を身体や手で押圧したり、ボールなどの器物が当たったり衝突しても、樹脂ネットが外れたり、破けたりしないものである。
【産業上の利用可能性】
【００２８】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００２９】
【図１】本発明の実施例の正面図である。
【図２】図１のＡ−Ａ線断面図である。
【図３】図１のＡ−Ａ線における分解断面図である。
【図４】図１のＢ−Ｂ線断面図である。
【図５】図１のＢ−Ｂ線における分解断面図である。
【図６】本発明の実施例の要部の斜視図である。
【符号の説明】
【００３０】
１  網戸
２  網戸枠体
３  横桟
４，５，６  小枠
７  樹脂ネット
８  網戸ロ−プ
９  補強部材
９ａ，９ｂ  補強部材９の上下端縁部
９ｃ，９ｄ  補強部材９の左右端縁部
１０  補助枠体
１３  補助枠体１０を構成する補助横框材
１３ａ，２５  嵌合溝
１３ｂ  設置用溝
１３ｃ  係止部材
１５  スペーサ
１６，１７  縦框材
１６ａ  係合溝
１６ｂ  設置用溝片
１６ｃ  係合溝
１６ｄ  突片
１７ａ  係合片
１８  補助縦框材
１８ａ  補強部材９の設置用溝
２１，２２  縦框
２３  上框
２４  下框
２６  突出片
【図１】
2006291538.tif 000003
【図２】
2006291538.tif 000004
【図３】
2006291538.tif 000005
【図４】
2006291538.tif 000006
【図５】
2006291538.tif 000007
【図６】
2006291538.tif 000008